(57)【要約】【課題】右利きと左利きのいずれの術者や補助者にも操作のし易い歯科用排唾器を提供する。【解決手段】歯科用排唾器１は、本体部２を挟むようにして、その両側に先端ケース３と後部ケース４が、連結領域９，１０において着脱自在に連結可能になっている。本体部２には流量調整レバー６によって回動可能であるコック体５が設けられている。コック体５には貫通孔５ａが形成されており、その回動によって本体部の中心孔２ａを連通し又は遮断する。貫通孔と中心孔が合致した位置を回動初期位置として一方向の角度範囲でコック体が回動される。本体部２を先端ケース３と後部ケース４に対して反転させて連結することにより、右利き用にも左利き用にもできる。【選択図】図１
2005230203.tif 000002
【特許請求の範囲】
【請求項１】
排唾管が着脱自在に連結される先端ケースと本体部と吸引チューブが着脱自在に連結される後部ケースを有する歯科用排唾器であって、前記先端ケースと前記後部ケースは、それぞれ前記本体部に設けられた連結部によって着脱可能に連結されており、前記本体部には、軸方向に該本体部を通る中心孔を横切るように、かつ、前記中心孔に直交する方向を回転軸とする回動可能なコック体が設けられており、該コック体には、所定の回動角度位置において前記中心孔の軸線にその軸線が同じ方向となるように貫通孔が形成されているとともに、前記本体部の外表面に露出する流量調整レバーが設けられており、前記コック体は、前記本体部の中心孔と前記コック体の貫通孔とが同軸となる角度位置又は直角となる角度位置を回動初期位置として一方向の所定角度範囲において回動可能であり、前記連結部は、前記先端ケースと前記後部ケースに対して同じ構造であり、前記本体部に対して、前記先端ケースと前記後部ケースとが交換連結可能であることを特徴とした歯科用排唾器。
【発明の詳細な説明】
【技術分野】
【０００１】
本発明は、歯科治療において、治療中の患者の口腔内にたまる唾液や口腔内洗浄後の汚水等を吸引、排水するための歯科用排唾器に関するものである。
【背景技術】
【０００２】
図６は、従来の流量調整レバー付の歯科用排唾器の一例を説明するための概観図で、図中、２１は排唾器本体部、２２は排唾（吸引）管、２３は吸引ホース、２４は流量調整レバーである。吸引ホース２３の図示しない端部は負圧源に接続されており、流量調整レバー２４を回動することによりその回動位置に応じて吸引量を調整することができるようになっている。流量調整レバー２４は、例えば、排唾器本体部２１の軸線方向と同じ（又は直角）方向にあるときを回動初期位置として、いずれか一方の方向、例えば、矢印方向に回動させることによって流量を調整することができる。術者や補助者等のオペレータが、排唾器本体部２１を把持した状態で、回動初期位置から、図の矢印方向に回動させるには、拇指でレバーの側面を押すようにする操作、つまり、拇指を人差し指に近づける方向（握りを固くする方向）に動かす操作となり、操作し易い。図６に示した例は右利き用であるから、これを左利きのオペレータが左手で操作しようとすると、拇指を人差し指から離す方向（握りを解く方向）に動かすことになり、操作がしにくい。
【発明の開示】
【発明が解決しようとする課題】
【０００３】
本発明は、上述した事情に鑑みてなされたもので、右利きと左利きのいずれの術者や補助者に対しても、簡単に操作のし易い状態に変更することのできる歯科用排唾器を提供することを目的とするものである。
【課題を解決するための手段】
【０００４】
本発明は、排唾管が着脱自在に連結される先端ケースと本体部と吸引チューブが着脱自在に連結される後部ケースを有する歯科用排唾器であって、前記先端ケースと前記後部ケースは、それぞれ前記本体部に設けられた連結部によって着脱可能に連結されており、前記本体部には、軸方向に該本体部を通る中心孔を横切るように、かつ、前記中心孔に直交する方向を回転軸とする回動可能なコック体が設けられており、該コック体には、所定の回動角度位置において前記中心孔の軸線にその軸線が同じ方向となるように貫通孔が形成されているとともに、前記本体部の外表面に露出する流量調整レバーが設けられており、前記コック体は、前記本体部の中心孔と前記コック体の貫通孔とが同軸となる角度位置又は直角となる角度位置を回動初期位置として一方向の所定角度範囲において回動可能であり、前記連結部は、前記先端ケースと前記後部ケースに対して同じ構造であり、前記本体部に対して、前記先端ケースと前記後部ケースとが交換連結可能であることを特徴としたものである。
【発明の効果】
【０００５】
本発明の歯科用排唾器によれば、吸引量調整レバーを有する排唾器本体部に対して、先端ケースと後部ケースを連結替えするだけで右利き用、又は、左利き用に変更することができ、右利き、左利きのいずれのオペレータに対しても対応できるという効果がある。
【発明を実施するための最良の形態】
【０００６】
図１、図２は、本発明の歯科用排唾器の実施例を説明するための図で、図１は歯科用排唾器を軸線に沿って切断した断面図、図２は本体部からコック体を取り外したときの状態を示す外観斜視図で、図中、１は歯科用排唾器、２は本体部、２ａは中心孔、２ｂは突起係合溝、２1はコック体装着穴、３は排唾（吸引）管接続ケース、３ａは連通孔、４は吸引ホース接続ケース、４ａは連通孔、５はコック体、５ａは貫通孔、５ｂは係合突起、６は流量調整レバー、７は排唾管接続口、８は吸引ホース接続口、９，１０は連結領域、１１，１２はＯリングである。
【０００７】
歯科用排唾器１は、本体部２を挟むようにして、その両側に排唾管が着脱自在に連結される先端ケース（排唾管接続ケース）３と吸引ホースが着脱自在に連結される後部ケース（吸引ホース接続ケース）４が、連結領域９，１０において連結され、しかも、相互に交換可能に連結される構成となっている。
【０００８】
本体部２には、中心孔２ａが形成されており、その両側には、凸状の連結部が形成されている。また、中心孔２ａを横切るように、コック体５が挿入されるコック体装着穴２1が設けられており、コック体５を該穴２1に挿入した時にコック体５によって、中心孔２ａが先端ケース３側と後部ケース４側に分断される。コック体５には、図２に示すように、貫通孔５ａが形成されており、本体部２の中心孔２ａの軸線と直交する軸線を回転軸線として、回転可能に本体部２に挿入され、Ｏリング１２でシールされる。コック体５には、回転軸線と直交するように貫通孔５ａが形成され、所定の角度位置、すなわち、本体部２の中心孔２ａの軸線とコック体５の貫通孔５ａの軸線とが同じ方向となる角度位置で、中心孔２ａと貫通孔５ａとが最大の断面積で連通し、そこよりの回転位置に応じて連通する面積が減少する。中心孔２ａと貫通孔５ａとを同じ内径の円形孔として、この角度位置で、中心孔２ａと貫通孔５ａとが合致するようにするのがよいが、必ずしもそうしなくても有効に流量調整を行なうことが可能である。
【０００９】
本体部２のコック体装着穴２1のまわりには、所定の角度範囲θ（略９０°）にわたって切り欠き又は溝２ｂが形成されており、コック体５に設けられた係合突起５ｂが、この角度範囲内で自由に移動可能となっている。従って、コック体５を本体部２に挿入した状態では、係合突起５ｂが係合溝（又は切り欠き）２ｂ内に位置して、コック体５の回動角はこの範囲が規制される。すなわち、コック体５は、係合突起５ｂが係合溝（又は切り欠き）２ｂの一端側に位置した位置２’から他端側に位置する位置での間で回動でき、回動角に応じた流量を流すようにすることができる。この一端側に位置した状態においては中心孔２ａと貫通孔５ａが同軸に貫通し、他端側においては、中心孔２ａに対して貫通孔５ａが、直角に位置して流路（中心孔）２ａを遮断する。このコック体５は流量調整レバー６によって、その回転角度位置を調整することができ、この流量調整レバー６を操作して、コック体５を回動させることによって、中心孔２ａと貫通孔５ａとが連通する断面積が変化して、流量調整を行なうことができる。
【００１０】
先端ケース３には、中心孔２ａに連通する連通孔３ａが形成されており、その先端開口７には、図３に示すように排唾管１４が着脱自在に連結される。また、先端ケース３の後部には凹状の連結部が形成されており、連結領域９において、本体部２の凸状の連結部に連結され、Ｏリング１１でシールされる。
【００１１】
後部ケース４には、中心孔２ａに連通する連通孔４ａが形成されており、その後部に吸引ホース接続口８が取り付けられており、このホース接続口８には、図３に示すように、負圧源に接続された吸引ホース１５が着脱自在に取付られる。後部ケース４の前部には凹状の連結部が形成されており、連結領域１０において、本体部２の凸状の連結部に連結され、Ｏリング１１でシールされる。
【００１２】
連結部について説明すると、本発明において、本体部２の前後に形成された凸状の連結部は、両方とも同じ構造である。したがって、本体部２の連結部に連結される先端ケース３の凹状の連結部、および、後部ケース４の凹状の連結部は、両方とも同じ構造である。したがって、先端ケース３と後部ケース４の、それぞれの連結部を外した後、本体部２を反転させた状態で、先端ケース３と後部ケース４とを、本体部２に連結させることができる。
【００１３】
なお、連結部の構造は、上述した凹凸状に限られるものではなく、凹凸の態様が逆、すなわち、本体部の前後の連結部が凹状であり、先端ケース３と後部ケース４の連結部が凸状であってもよく、また、必ずしも凹凸状の連結構造に限られない適宜の連結構造が用いられてもよく、要は、本体部２が反転可能に先端ケース３と後部ケース４に連結できればよい。
【００１４】
使用法について説明する。図３に示すように、本体部２に先端ケース３と後部ケース４が連結された状態においては、流量調整レバー６が矢印方向に回動可能であるから、歯科用排唾器を右手で握った状態で、その右拇指で流量調整レバー６を押して行なう操作となり（つまり、握りを締める方向への操作となり）、操作がし易い。図４は、図３に示した本体部２を反転させて（上下逆にして）連結した場合の図であるが、このようにした状態で、左手で持ってレバー６を操作すると、流量調整レバー６の回動方向は同じ矢印方向であるので、左拇指で流量調整レバー６を引いて行なう操作となり（つまり、握りを締める方向への操作となり）、やはり、操作がし易い。このように、本発明によると、いずれの場合も、流量調整レバー６を握りを締める方向に移動させる操作となり、本体部２の先端ケース３と後部ケース４に対する連結態様の変更だけで、右利きのオペレータにも、左利きのオペレータにも対応させることが容易である。なお、以上には、握りを締める方向への操作がし易いと想定して説明したが、オペレータによっては、握りを緩める方向へ操作するほうが操作し易い人がいることも考えられるが、その場合にも、同様にして、先端ケースと後部ケースを本体部に対して前後を交換して取り付けるだけで対応することができる。
【００１５】
図５は、本発明の他の実施例を説明するための図で、図５（Ａ）はコック体５の傾斜図、図５（Ｂ）はコック体５を取り外した後の本体部２の斜視図、図５（Ｃ）はコック体５を本体部２に装着した時のコック体５を上面から見た図である。この実施例の場合、コック体５を回動するためのレバー６は、コック体５の上表面と面一にかつ径方向に延長して形成されており、本体部２には、コック体５を挿入するための孔２1及び前記レバー６が延出するための切り欠き２ｂが設けられており（なお、図２に示した実施例における、溝又は切り欠き２ｂにおける切り欠きは、この図５に示した切り欠き２ｂを想定したものである）、該コック体５を本体部２の孔２1に装着する時に、図５（Ｃ）に示すように、レバー６が該切り欠き２ｂを通して延出し、切り欠き部２ｂの両側壁で、２’，２’’でその回動が制限されるようになっている。すなわち、この実施例は、図２に示した係合突起５ｂを省略し、この係合突起５ｂの作用をレバー６で兼用するようにしたもので、その他の構造及び作用は図１及び図２に示した実施例と同じである。
【００１６】
切り欠き２ｂは、コック体５が略９０°の範囲で回動できる切り欠き幅（θ）を有し、例えば、レバー６が図３（Ｃ）に示す点線６ａにて示す位置にある時は、コック体５が本体部２内の流路２ａを遮断し（或いは、流路２ａの流路を最大限に連通させ）、点線６ａの位置にある時は、本体部２内の流路２ａを最大限に連通（或いは流路２ａを遮断）するようになっている。従って、術者は、レバー６を拇指にて矢印方向に移動させることによって、本体部２内を流れる流量を調整することができる。
【００１７】
この場合、術者は、本体部２を握り、拇指でレバー６を矢印方向に動かして流量を調整するが、図３（Ｃ）において、左方に排唾管が右方に吸引管が連結されているとして、紙面の上から本体部２を握る場合、右手で握る場合は拇指がレバー６側になるためレバー６の操作はし易いが、左手で操作しようとすると、レバー６が掌側になってしまい、レバーの操作がしにくい。しかしながら、本発明においては、前述のように、本体部２は排唾管と吸引ホースとを交換して連結できるので、図３（Ｃ）において、排唾管と吸引ホースの連結を交換して、右側に排唾管を、左側に吸引ホースを連結すれば、本体部２を紙面の上側から左手にて握った場合、レバー６は拇指側になるので、左利きの術者に操作しやすい状態になる。
【産業上の利用可能性】
【００１８】
本体部に対して排唾管が着脱自在に連結される先端ケースと吸引ホースが着脱自在に連結される後部ケースを反転して取り付けるだけで、右利き用と左利き用に対応できるので、右利きのオペレータに対しても左利きのオペレータに対しても流量調整レバーを操作しやすい歯科用排唾器を提供することができる。
【図面の簡単な説明】
【００１９】
【図１】本発明による歯科用排唾器を軸線に沿って切断した断面図である。
【図２】本体部からコック体を取り外したときの状態を示す要部斜視図である。
【図３】本発明を右利き用に適用した場合の歯科用排唾器の外観図である。
【図４】本発明を左利き用に適用した場合の歯科用排唾器の外観図である。
【図５】本発明の他の実施例を説明するための要部構成図である。
【図６】従来の歯科用排唾器の一例の外観図である。
【符号の説明】
【００２０】
１…歯科用排唾器、２…本体部、２ａ…中心孔、３…先端ケース、３ａ…連通孔、４…後部ケース、４ａ…連通孔、５…コック体、５ａ…貫通孔、５ｂ…係合突起、６…流量調整レバー、７…先端開口、８…ホース接続口、９，１０…連結領域、１１，１２…Ｏリング、１４…排唾管、１５…吸引ホース。
【図１】
2005230203.tif 000003
【図２】
2005230203.tif 000004
【図３】
2005230203.tif 000005
【図４】
2005230203.tif 000006
【図５】
2005230203.tif 000007
【図６】
2005230203.tif 000008